(57)【特許請求の範囲】
【請求項１】
前輪（２）、後輪（３）、サイド車輪（４）、メインカッター（１１）、第一サイドカッター（１２Ａ）、及び、第二サイドカッター（１２Ｂ）を有し、前記メインカッター（１１）及び前記第一及び第二サイドカッター（１２Ａ、１２Ｂ）を回転駆動する原動機（８）を有する走行基体部（１Ａ）と、該走行基体部（１Ａ）の左右方向一側に上下方向に傾動可能に連結された二連式サイドカッター部（１Ｓ）と、を備えた自走草刈機（１０）において、
前記メインカッター（１１）より後方側に前記第一サイドカッター（１２Ａ）が配在され、前記二連式サイドカッター部（１Ｓ）によるサイド刈幅（Ｌｓ）を可変とすべく、前記第二サイドカッター（１２Ｂ）は、前記第一サイドカッター（１２Ａ）より前方側でかつ左右方向一側寄りに配在されるとともに、前記第一サイドカッター（１２Ａ）の回転軸（５２）を回動支点軸として左右方向に回動可能とされており、
前記二連式サイドカッター部（１Ｓ）は、前記第一サイドカッター（１２Ａ）の上方側、左右方向一側、及び後方側を覆う下面が開放された第一シールドカバー（７０Ａ）と、前記第二サイドカッター（１２Ｂ）の上方側及び左右方向一側を覆う下面が開放された第二シールドカバー（７０Ｂ）と、を有し、
前記第一サイドカッター（１２Ａ）の前記回転軸（５２）に回動可能に支持アーム（６０）の基端部（６０Ａ）が連結され、前記支持アーム（６０）の先端部（６０Ｂ）に前記第二サイドカッター（１２Ｂ）の回転軸（６１）が軸支されるとともに、該回転軸（６１）に回動可能に前記第二シールドカバー（７０Ｂ）が支持されていることを特徴とする自走草刈機。
【請求項２】
前記二連式サイドカッター部（１Ｓ）は、前記第一シールドカバー（７０Ａ）と前記第二シールドカバー（７０Ｂ）とにおける左右方向一側間に配在された中間シールドカバー（７１）と、をさらに有し、
前記第二シールドカバー（７０Ｂ）及び前記中間シールドカバー（７１）は、前記サイド刈幅（Ｌｓ）を変えるべく前記第二サイドカッター（１２Ｂ）が回動せしめられるとき、その回動に追従して、前記第一シールドカバー（７０Ａ）との間に干渉及び間隙を生じさせることなく、その位置姿勢を変化させるようにされていることを特徴とする請求項１に記載の自走草刈機。
【請求項３】
前記第一シールドカバー（７０Ａ）と前記第二シールドカバー（７０Ｂ）との間に、該第二シールドカバー（７０Ｂ）を前記第一シールドカバー（７０Ａ）に対して予め設定された複数の回動位置のいずれかにて保持固定する保持固定手段（６２、６３、６５、６７）が設けられていることを特徴とする請求項２に記載の自走草刈機。
【請求項４】
前記第二シールドカバー（７０Ｂ）の左右方向一側に前記サイド車輪（４）が常時前記第二シールドカバー（７０Ｂ）より前方側に突出するように取り付けられていることを特徴とする請求項２又は３に記載の自走草刈機。
【請求項５】
前記第一サイドカッター（１２Ａ）の地上高（Ｈ１２Ａ）は、前記メインカッター（１１）及び前記第二サイドカッター（１２Ｂ）の地上高（Ｈ１１、Ｈ１２Ｂ）より低くされていることを特徴とする請求項１乃至４のいずれか一項に記載の自走草刈機。
【請求項６】
前記回転軸（６１）に回動可能に前記第二シールドカバー（７０Ｂ）が支持されていることを特徴とする請求項２乃至５のいずれか一項に記載の自走草刈機。
【請求項７】
前記支持アーム（６０）と平行に、かつ、前記第一及び第二シールドカバー（７０Ａ、７０Ｂ）間を架け渡すようにリンク部材（７５）が配在され、該リンク部材（７５）の両端部（７５Ａ、７５Ｂ）がそれぞれ前記第一及び第二シールドカバー（７０Ａ、７０Ｂ）に回動自在に連結されていることを特徴とする請求項２乃至６のいずれか一項に記載の自走草刈機。
【発明の詳細な説明】
【０００１】
【発明の属する技術分野】
本発明は、メインカッターを有する走行基体部の左右方向一側に、上下方向に傾動可能にサイドカッター部が連結されてなる自走草刈機に関する。
【０００２】
【従来の技術】
この種の自走草刈機の従来例を、図７、図８を参照しながら簡単に説明する。
図示例の自走草刈機１は、主として畦草刈りに使用するもので、畦の上面に生えている草を刈り取るためのメインカッター１１を有する走行基体部１Ａの左右方向一側（左側）に、斜面（法面）に生えている草を刈り取るためのサイドカッター１２を有するサイドカッター部１Ｓが、上下方向に傾動可能に連結されている。
【０００３】
前記走行基体部１Ａは、前記メインカッター１１の他、該メインカッター１１の上方側、左右方向一側（右側）、及び後方側を覆う下面が開放されたスカート状のメインシールドカバー６を備え、このメインシールドカバー６の前部側に、支持部材２２を介して前輪２が支持されるとともに、該前輪２の取付高さ位置調節機構２３及びフットガード１６が設けられている。前記メインシールドカバー６の上面側には、前記メインカッター１１及び前記サイドカッター１２の回転駆動用兼走行用の動力を発生する原動機（空冷４サイクルガソリンエンジン）８が搭載保持され、また、前記メインシールドカバー６の後部側には、後輪（駆動輪）３、該後輪３に前記原動機８の動力を伝達するためのプロペラシャフトや変速機等からなる動力伝達機構９、基体フレーム５、二股状の操作ハンドル１３が設けられている。この操作ハンドル１３には、前記カッター１１、１２への動力伝達を断接するクラッチレバー１４、前記原動機８用のスロットルレバー１９等が設けられている。
【０００４】
一方、前記サイドカッター部１Ｓは、前記メインシールドカバー６の後部側に、後述する回転伝達軸４０に、その中心軸線Ｏを回動支点として上下方向に傾動可能に連結されたケース状支持部材３６を介して取り付けられており、前記サイドカッター１２の他、該サイドカッター１２の上方側、左右方向一側（左側）、及び後方側を覆う下面が開放されたスカート状のサイドシールドカバー７を備え、このサイドシールドカバー７の前部側の左右方向一側部（左側部）に、支持部材２４を介してサイド車輪４が支持されるとともに、該サイド車輪４の取付高さ位置調節機構２５が設けられ、さらに前方に突出してフットガード１７が設けられている。
【０００５】
そして、前記原動機８の回転駆動力は、次のようにして前記メインカッター１１及び前記サイドカッター１２に伝達されるようになっている。すなわち、前記原動機８の出力軸８ａの回転が、プーリ２６、ベルト２８、及びプーリ２７を介して、前記メインシールドカバー６の左側部の前記回動軸線Ｏ上に配在されたメイン中間軸２１に伝達され、該メイン中間軸２１から前記メインカッター１１の回転軸３１に、プーリ３２、ベルト３４、及びプーリ３３を介して伝達される。
【０００６】
また、前記メイン中間軸２１から前記サイドカッター１２の回転軸５２へは、順次、図示していない一対の傘歯車→前記回転伝達軸４０→図示していない一対の傘歯車→前記サイドシールドカバー７の右側部の前記中心軸線Ｏ上に配在されたサイド中間軸５１→プーリ５３→ベルト５５→プーリ５４を介して伝達される。
なお、前記ベルト２８、３４には、それぞれ前記メインカッター１１及びサイドカッター１２への動力断接に供されるベルトテンションクラッチのテンションローラ２９、３５が添設されている。
【０００７】
このような構成とされた前記自走草刈機１においては、畦の草刈りを行う際には、前記走行基体部１Ａを畦の上面に、前記サイドカッター部１Ｓを傾動させて畦の法面に位置させ、前記メインカッター１１及び前記サイドカッター１２を回転させながら前進走行させる。これにより、畦の上面及び法面に生えている草が同時に刈り取られる。このときの、前記サイドカッター１２による刈幅（サイド刈幅）Ｌｓは、前記サイドカッター１２の回転直径となり、一定である。
また、前記サイドカッター部１Ｓを前記走行基体部１Ａと同じ平面に位置させ、前記メインカッター１１及び前記サイドカッター１２を回転させながら前進走行させることにより、平面の草刈りを幅広に行うことができる。このときの平面の刈幅（全刈幅）Ｌａは、前記メインカッター１１及び前記サイドカッター１２の回転直径の和からそれらの左右方向のオーバーラップ幅を減じたものとなり、一定である。
【０００８】
【発明が解決しようとする課題】
前記した如くの従来の前記自走草刈機１においては、前記サイドカッター部１Ｓによる前記サイド刈幅Ｌｓは、単一の前記サイドカッター１２の回転直径のみに依存しているため、畦の草刈り等における法面の刈幅が不足する場合があった。そこで、前記サイドカッター部１Ｓによる前記サイド刈幅Ｌｓを増大させるべく、前記サイドカッター部１Ｓにもう一枚、左右方向一側に張り出すようにサイドカッターを連設して二連式となすことが考えられている。
しかしながら、サイドカッター部を二連式とすると、今度は、法面の幅が短い場合に、その二連式サイドカッター部を法面上に乗せることができず、草刈り作業が行えなくなってしまう。
【０００９】
かかる不具合を解消すべく、二連のサイドカッターの相対位置を変えることにより刈幅を可変となすことも考えられているが、二連のサイドカッターの相対位置を変えようとすると、それらを覆うシールドカバー同士が干渉する、それらの間に間隙が形成される、サイド車輪の位置、姿勢も変わり、走行性能や草刈り性能が低下する、等の種々の問題が生じる。
本発明は、前記した如くの従来の自走草刈機に伴う問題を解消すべくなされたもので、その目的とするところは、二連式サイドカッター部による刈幅を、シールドカバー同士の干渉等を生じさせることなく、容易にかつ合理的に変えることができ、しかも、走行性能や草刈り性能の低下を招来することがないようにされた自走草刈機を提供することにある。
【００１０】
【課題を解決するための手段】
前記の目的を達成すべく、本発明に係る自走草刈機は、基本的には、前輪、後輪、サイド車輪、メインカッター、第一サイドカッター、及び、第二サイドカッターを有し、前記メインカッター及び前記第一及び第二サイドカッターを回転駆動する原動機を有する走行基体部と、該走行基体部の左右方向一側に上下方向に傾動可能に連結された二連式サイドカッター部と、を備える。
そして、前記メインカッターより後方側に前記第一サイドカッターが配在され、前記二連式サイドカッター部によるサイド刈幅を可変とすべく、前記第二サイドカッターは、前記第一サイドカッターより前方側でかつ左右方向一側寄りに配在されるとともに、前記第一サイドカッターの回転軸を回動支点軸として左右方向に回動可能とされており、前記二連式サイドカッター部は、前記第一サイドカッターの上方側、左右方向一側、及び後方側を覆う下面が開放された第一シールドカバーと、前記第二サイドカッターの上方側及び左右方向一側を覆う下面が開放された第二シールドカバーと、を有し、前記第一サイドカッターの前記回転軸に回動可能に支持アームの基端部が連結され、前記支持アームの先端部に前記第二サイドカッターの回転軸が軸支されるとともに、該回転軸に回動可能に前記第二シールドカバーが支持されていることを特徴としている。
【００１１】
前記二連式サイドカッター部は、好ましくは、前記第一シールドカバーと前記第二シールドカバーとにおける左右方向一側間に配在された中間シールドカバーと、をさらに有し、前記第二シールドカバー及び前記中間シールドカバーは、前記サイド刈幅を変えるべく前記第二サイドカッターが回動せしめられるとき、その回動に追従して、前記第一シールドカバーとの間に干渉及び間隙を生じさせることなく、その位置姿勢を変化させるようにされる。
【００１２】
好ましい態様では、前記第一シールドカバーと前記第二シールドカバーとの間に、該第二シールドカバーを前記第一シールドカバーに対して予め設定された複数の回動位置のいずれかにて保持固定する保持固定手段が設けられる。
他の好ましい態様では、前記第二シールドカバーの左右方向一側に前記サイド車輪が常時前記第二シールドカバーより前方側に突出するように取り付けられる。
また、前記第一サイドカッターの地上高は、好ましくは、前記メインカッター及び前記第二サイドカッターのより低くされる。
【００１３】
さらに別の好ましい態様では、前記回転軸に回動可能に前記第二シールドカバーが支持される。
より具体的な好ましい態様では、前記支持アームと平行に、かつ、前記第一及び第二シールドカバー間を架け渡すようにリンク部材が配在され、該リンク部材の両端部がそれぞれ前記第一及び第二シールドカバーに回動自在に連結される。
【００１４】
このような構成とされた本発明に係る自走草刈機の好ましい態様においては、前記二連式サイドカッター部によるサイド刈幅を狭めるときは、前記第二サイドカッター、前記第二シールドカバー等からなる回動部を、前記走行基体側に近づけるように、つまり、前方側に畳むように回動させて、前記保持固定手段により予め設定された複数の回動位置のいずれかにて保持固定する。
前記とは逆に、前記二連式サイドカッター部によるサイド刈幅を拡げるときは、前記第二サイドカッター、前記第二シールドカバー等からなる回動部を、前記走行基体から離すように回動させて、前記保持固定手段により予め設定された複数の回動位置のいずれかにて保持固定する。
【００１５】
前記のようにしてサイド刈幅が変更されるときは、前記リンク部材の作用により、前記第二シールドカバーは、前記第二サイドカッターの回転軸を回動支点軸として回動せしめられ、これにより、前記第二シールドカバー及び前記中間シールドカバーは、前記第一シールドカバーとの間に干渉及び間隙を生じさせることなく、その位置姿勢を変化させるとともに、前記サイド車輪は傾斜することなく走行方向に平行な初期姿勢を保つ。
【００１６】
このようにされることにより、二連式サイドカッター部による刈幅を、シールドカバー同士の干渉等を生じさせることなく、容易にかつ合理的に変えることができ、また、サイド車輪は、刈幅可変としても、草刈り、走行の障害となることがなく、走行性能や草刈り性能の低下を招くことはない。
また、前記第一サイドカッターの地上高を、前記メインカッター及び前記第二サイドカッターの地上高より低くすることにより、平面刈りのときの刈り高さが揃いやすくなり、また、刈幅が狭いときは、刈り草を細断することができる。
【００１７】
【発明の実施の形態】
以下、本発明の実施の形態を図面を参照しながら説明する。
図１は本発明に係る自走草刈機の一実施形態を示している。本実施形態の自走草刈機１０は、前述した図７、図８に示される従来の自走草刈機１と同様に、主として畦草刈り取りに使用するものであり、前記従来の自走草刈機１のサイドカッター部１Ｓが単一のサイドカッター１２を備えるのに対し、本実施の形態におけるサイドカッター部１Ｓは二連式となっているが、走行基体部１Ａは略同一構成である。
【００１８】
本実施形態の自走草刈機１０の前記走行基体部１Ａは、メインカッター１１の他、該メインカッター１１の上方側、左右方向一側（右側）、及び後方側を覆う下面が開放されたスカート状のメインシールドカバー６を備え、このメインシールドカバー６の前部側に、支持部材２２を介して前輪２が支持されるとともに、該前輪２の取付高さ位置調節機構２３及びフットガード１６が設けられている。前記メインシールドカバー６の上面側には、前記メインカッター１１及び前記サイドカッター部１Ｓの回転駆動用兼走行用の動力を発生する原動機（空冷４サイクルガソリンエンジン）８が搭載保持され、また、前記メインシールドカバー６の後部側には、後輪（駆動輪）３、該後輪３に前記原動機８の動力を伝達するためのプロペラシャフトや変速機等からなる動力伝達機構９、基体フレーム５、二股状の操作ハンドル１３が設けられている。この操作ハンドル１３には、前記メインカッター１１、及び前記サイドカッター部１Ｓへの動力伝達を断接するクラッチレバー１４、前記原動機８用のスロットルレバー１９等が設けられている。
【００１９】
一方、本実施形態の自走草刈機１０の二連式サイドカッター部１Ｓは、前記メインシールドカバー６の後部側に、後述する回転伝達軸４０（図２、図３参照）に、その中心軸線Ｏを回動支点として上下方向に傾動可能に連結されたケース状支持部材３６を介して取り付けられている。
この二連式サイドカッター部１Ｓは、前記メインカッター１１より後方側に配在された第一サイドカッター１２Ａと、この第一サイドカッター１２Ａより前方側でかつ左右方向一側（左側）寄りに配在された第二サイドカッター１２Ｂと、を有するとともに、前記第一サイドカッター１２Ａの上方側、左右方向一側（左側）、及び後方側を覆う、下面が開放されたスカート状の第一シールドカバー７０Ａと、前記第二サイドカッター１２Ｂの上方側及び左右方向一側（左側）を覆う、下面が開放された第二シールドカバー７０Ｂと、前記第一シールドカバー７０Ａと前記第二シールドカバー７０Ｂとにおける左右方向一側（左側）間に配在された中間シールドカバー７１と、を備える。
【００２０】
ここでは、図４を参照すればよくわかるように、前記第一サイドカッター１２Ａの回転軸５２に、該回転軸５２に直交する平面内で回動可能に、ケース状の支持アーム６０の基端部６０Ａが連結部材６２を介して連結され、前記支持アーム６０の先端部６０Ｂに、前記第二サイドカッター１２Ｂの回転軸６１が軸支されるとともに、該回転軸６１に支持部材６４を介して回動可能に前記第二シールドカバー７０Ｂが支持されている。
【００２１】
前記第二シールドカバー７０Ｂと前記中間シールドカバー７１は、図５、図６に示される如くに、ねじりコイルばね７３付きヒンジ部材７２により連結されていて、前記中間シールドカバー７１は、常時前記第一シールドカバー７０Ａ側に向けて付勢されており、後述する如くに、前記二連式サイドカッター部１Ｓによるサイド刈幅Ｌｓを変えるべく、前記第二シールドカバー７０Ｂや前記第二サイドカッター１２Ｂ等からなる回動部７０が、前記第一サイドカッター１２Ａの前記回転軸５２を回動支点として回動せしめられるとき、それに追従して、前記第二シールドカバー７０Ｂ及び前記中間シールドカバー７１は、前記第一シールドカバー７０Ａとの間に干渉及び間隙を生じさせることなく、カッター部をシールドしつつその位置姿勢を変化させるようにされている。
【００２２】
また、前記第二シールドカバー７０Ｂの前部側の左右方向一側部（左側部）に、支持部材２４を介してサイド車輪４が前記第二シールドカバー７０Ｂ及び前記第二サイドカッター１２Ｂより常時前方に突出した状態で支持されるとともに、前記サイド車輪４の取付高さ位置調節機構２５が設けられ、さらに、前方に突出してフットガード１７が設けられている。
また、前記支持アーム６０と平行に、かつ、前記第一及び第二シールドカバー７０Ａ、７０Ｂ間を架け渡すようにリンク部材７５が配在され、該リンク部材７５の両端部７５Ａ、７５Ｂが、それぞれ前記第一及び第二シールドカバー７０Ａ、７０Ｂにそれぞれ一体的に設けられた取付板７６、７７に、ピン７６ａ、７７ａで回動自在に軸着されている。
【００２３】
前記に加え、前記支持アーム６０と前記第一シールドカバー７０Ａとの間に、前記第二シールドカバー７０Ｂ及び第二サイドカッター１２Ａを前記第一シールドカバー７０Ａに対して予め設定された複数の回動位置のいずれかにて保持固定する保持固定手段が設けられている。この保持固定手段は、図４〜図６を参照すればよくわかるように、前記支持アーム６０の前記基端部６０Ａに設けられた前記連結部材６２と、該連結部材６２の取付部６３にボルト６６、６６で取り付けられた回動操作用取手６５と、前記第一シールドカバー７０Ａに固定された位置調節板６７と、を備えて構成されている。前記位置調節板６７には、前記回転軸５２を中心とした同一円周上に所定間隔をあけて三箇所に最小刈幅用係止部６７ａ、中間刈幅用係止部６７ｂ、最大刈幅用係止部６７ｃが設けられており、前記回動操作用取手６５を押引することにより前記支持アーム６０を介して前記回動部７０を回動させて、前記回動操作用取手６５に保持されているピン６５ａを、前記いずれかの係止部６７ａ、６７ｂ、又は６７ｃに挿入係止させることにより、前記回動部７０がその回動位置にて保持固定される。
【００２４】
また、ここでは、前記第一サイドカッター１２Ａの地面Ｇからの地上高Ｈ12Aは、前記メインカッター１１及び前記第二サイドカッター１２Ｂの地上高Ｈ11、Ｈ12Bより低くされており、前記第二サイドカッター１２Ｂの地上高Ｈ12Bは、前記メインカッター１１より低くされている。
そして、前記原動機８の回転駆動力は、次のようにして前記メインカッター１１及び前記第一及び第二サイドカッター１２Ａ、１２Ｂに伝達されるようになっている。すなわち、図１に加えて図２及び図３を参照すればよくわかるように、前記原動機８の出力軸８ａの回転が、プーリ２６、ベルト２８、及びプーリ２７を介して、前記メインシールドカバー６の左側部の前記回動軸線Ｏ上に配在されたメイン中間軸２１に伝達され、該メイン中間軸２１から前記メインカッター１１の回転軸３１に、プーリ３２、ベルト３４、及びプーリ３３を介して伝達される。
【００２５】
また、前記メイン中間軸２１から前記第一及び第二サイドカッター１２Ａ、１２Ｂの前記回転軸５２、６１へは、順次、前記メイン中間軸２１に外嵌固定された傘歯車４１→軸受筐３８にベアリング３９、３９、３９を介して軸支された前記回転伝達軸４０に外嵌固定された傘歯車４２→前記回転伝達軸４０→該回転伝達軸４０に外嵌固定された傘歯車４３→前記サイドシールドカバー７の右側部の前記中心軸線Ｏ上に配在されたサイド中間軸５１→プーリ５３→ベルト５５→プーリ５４を介して前記第一サイドカッター１２Ａの前記回転軸５２に伝達され、さらに、該回転軸５２に外嵌固定されたプーリ５６→ベルト５８→プーリ５７を介して前記第二サイドカッター１２Ｂの前記回転軸６１に伝達される。
【００２６】
前記ケース状の支持部材３６には、前記プーリ５３、前記ベルト５５、前記プーリ５４、５６が収納され、前記ケース状の支持部材６０には、前記プーリ５４、５６、前記ベルト５８、前記プーリ５７が収納されている。
なお、前記ベルト２８、３４には、それぞれ前記メインカッター１１及び前記サイドカッター１２Ａ、１２Ｂへの動力断接に供される、ベルトテンションクラッチのテンションローラ２９、３５が添設されている。
【００２７】
かかる構成において、前記二連式サイドカッター部１Ｓを、前記支持部材３６を介して、図３において仮想線で示される如くに、前記回転伝達軸４０の中心軸線Ｏを回動支点として上下方向に傾動させたとしても、前記第一シールドカバー７０Ａに支持されている前記軸受筐３８内で噛合している前記一対の傘歯車４３−４４が噛み合ったまま変位せしめられるだけで、その噛み合いは常に継続されるので、傾動具合如何によって動力伝達系に何ら不具合は生じない。
【００２８】
このような構成とされた自走草刈機１においては、畦の草刈りを行う際には、前記二連式サイドカッター部１Ｓによるサイド刈幅Ｌｓを畦の法面の幅等に合わせて予め調節しておく。ここで、前記二連式サイドカッター部１Ｓによるサイド刈幅Ｌｓを狭めるときは、前記第二サイドカッター１２Ｂ、前記第二シールドカバー７０Ｂ等からなる回動部７０を、前記走行基体１Ａ側に近づけるように、つまり、前方側に畳むように回動させて、前記回動操作用取手６５に保持されている前記ピン６５ａを、前記最小刈幅用係止部６７ａ又は中間刈幅用係止部６７ｂのどちらかに挿入係止することにより、前記回動部７０をその回動位置にて保持固定する。前記サイド刈幅Ｌｓが最小のとき〔Ｌｓ（ｍｉｎ）〕の状態が、図１及び図５に示されている。
【００２９】
前記とは逆に、前記二連式サイドカッター部１Ｓによるサイド刈幅Ｌｓを拡げるときは、前記回動部７０を、前記走行基体１Ａから離すように回動させて、前記回動操作用取手６５に保持されている前記ピン６５ａを、前記最大刈幅用係止部６７ｃ又は中間刈幅用係止部６７ｂのどちらかに挿入係止することにより、前記回動部７０をその回動位置にて保持固定する。前記サイド刈幅Ｌｓが最大のとき〔Ｌｓ（ｍａｘ）〕の状態が図６に示されている。
【００３０】
前記のようにしてサイド刈幅Ｌｓが変更されるときは、前記リンク部材７５の作用により、前記第二シールドカバー７０Ｂは、前記第二サイドカッター１２Ｂの前記回転軸６１を回動支点軸として回動せしめられ、これにより、前記第二シールドカバー７０Ｂ及び前記中間シールドカバー７１は、前記第一シールドカバー７０Ａとの間に干渉及び間隙を生じさせることなく、その位置姿勢を変化させるとともに、前記サイド車輪４は傾斜することなく走行方向に平行な初期姿勢を保つ。
このようにされることにより、前記二連式サイドカッター部１Ｓによる刈幅Ｌｓを、シールドカバー同士の干渉等を生じさせることなく、容易にかつ合理的に変えることができ、また、サイド車輪４は、刈幅可変としても、カッター同士の間に位置することがないので、草刈り、走行の障害となることがなく、走行性能や草刈り性能の低下を招くことはない。
【００３１】
また、前記第一サイドカッター１２Ａの地上高Ｈ12Aを、前記メインカッター１１及び前記第二サイドカッター１２Ｂの地上高Ｈ11、Ｈ12Bより低くすることにより、平面刈りのときの刈り高さが揃いやすくなり、また、刈幅が狭いときは、刈り草を細断することができる。
以上、本発明の一実施形態について詳述したが、本発明は、前記実施形態に限定されるものではなく、特許請求の範囲に記載された発明の精神を逸脱しない範囲で、設計において、種々の変更ができるものである。
【００３２】
【発明の効果】
以上の説明から理解されるように、本発明によれば、二連式サイドカッター部による刈幅を、シールドカバー同士の干渉等を生じさせることなく、容易にかつ合理的に変えることができ、しかも、走行性能や草刈り性能の低下を招来することがないようにされた自走草刈機を提供できる。
【図面の簡単な説明】
【図１】本発明に係る自走草刈機の一実施形態を示す平面図。
【図２】図１のII−II矢視断面図。
【図３】図１のIII−III矢視断面図。
【図４】図１のIV−IV矢視要部破断図。
【図５】図１に示される自走草刈機の二連式サイドカッター部が最小刈幅状態にあるときを示す部分拡大平面図。
【図６】図１に示される自走草刈機の二連式サイドカッター部が最大刈幅状態にあるときを示す部分拡大平面図。
【図７】従来の自走草刈機の一例を示す斜視図。
【図８】図７に示される自走草刈機の平面図。
【符号の説明】
１Ａ  走行基体部
１Ｓ  二連式サイドカッター部
２  前輪
３  後輪
４  サイド車輪
８  原動機
１０  自走草刈機
１１  メインカッター
１２Ａ  第一サイドカッター
１２Ｂ  第二サイドカッター
５２  第一サイドカッターの回転軸
６０  支持アーム
６１  第二サイドカッターの回転軸
６２、６３、６５、６７  保持固定手段
７０Ａ  第一シールドカバー
７０Ｂ  第二シールドカバー
７１    中間シールドカバー
７５  リンク部材
Ｌｓ  サイド刈幅
Ｈ11  メインカッターの地上高
Ｈ12A  第一サイドカッターの地上高
Ｈ12B  第二サイドカッターの地上高
【図１】
0003830309.tif 000002
【図２】
0003830309.tif 000003
【図３】
0003830309.tif 000004
【図４】
0003830309.tif 000005
【図５】
0003830309.tif 000006
【図６】
0003830309.tif 000007
【図７】
0003830309.tif 000008
【図８】
0003830309.tif 000009